(57)【要約】      （修正有）【課題】たわみ機構を備えるクラブヘッドを提供する。【解決手段】ゴルフクラブによって打撃されたゴルフボールに加えられた打ち上げ角およびバックスピンは、ゴルフボールの飛距離に影響を与えることができる。ゴルフクラブの打撃フェースまたは打撃プレートの向きは、ゴルフクラブによって打撃されたゴルフボールに加えられた打ち上げ角およびバックスピンに影響を与え得る。【選択図】なし【特許請求の範囲】
【請求項１】
クラブヘッドであって、
上端と、前記上端の反対側にある下端と、
フェース面およびロフト面と関連している前面を備える前部部分と、
クラウン面とソール面とを備える本体部分と、
前記前部部分と前記本体部分との境界部分に配置されるたわみ機構であって、前記前面が前記クラブヘッドの前記上端または前記下端のうちの一方において、かつ前記クラブヘッドの前記上端または前記下端のうちの他方を中心にして、前記本体部分に向けてたわむことができるように構成されるたわみ機構と
を備える、クラブヘッド。
【請求項２】
前記たわみ機構が、少なくとも１つのたわみ機能部を備え、前記少なくとも１つのたわみ機能部の各たわみ機能部が、ステップ部分と立ち上がり部分とを備える、
請求項１に記載のクラブヘッド。
【請求項３】
前記フェース面が前記ロフト面とほぼ同一平面上にある場合、
前記少なくとも１つのたわみ機能部の各たわみ機能部の前記ステップ部分が、前記フェース面に対して略垂直、または、
前記少なくとも１つのたわみ機能部の各たわみ機能部の前記立ち上がり部分が、前記フェース面に対して略平行
のうちの少なくとも１つである、
請求項２に記載のクラブヘッド。
【請求項４】
前記フェース面が前記ロフト面とほぼ同一平面上にある場合、
前記少なくとも１つのたわみ機能部の各たわみ機能部の前記ステップ部分および前記立ち上がり部分が、約０度よりも大きく、かつ約１８０度未満であるたわみ機能部角を形成する、請求項２または３に記載のクラブヘッド。
【請求項５】
前記クラブヘッドが、トウ端と、前記トウ端の反対側にあるヒール端とを備え、
前記少なくとも１つのたわみ機能部の各たわみ機能部の前記ステップ部分が、前記クラブヘッドのほぼヒール−トウ方向の寸法で測定されるステップ部分長さを備え、
前記少なくとも１つのたわみ機能部の各たわみ機能部の前記立ち上がり部分が、前記クラブヘッドのほぼ前記ヒール−トウ方向の寸法で測定される立ち上がり部分長さを備え、
前記ステップ部分長さおよび前記立ち上がり部分長さがほぼ等しい、
請求項２〜４のいずれか１項に記載のクラブヘッド。
【請求項６】
前記クラブヘッドが、前端と、前記前端の反対側にある後端とを備え、
前記少なくとも１つのたわみ機能部の各たわみ機能部の前記ステップ部分が、前記クラブヘッドのほぼ前後方向の寸法で測定されるステップ部分厚さを備え、
前記少なくとも１つのたわみ機能部の各たわみ機能部の前記立ち上がり部分が、前記クラブヘッドのほぼ前記前後方向の寸法で測定される立ち上がり部分厚さを備え、
前記ステップ部分厚さまた前記は立ち上がり部分厚さのうちの少なくとも１つが、約０．０６センチメートル以上、かつ約０．１８センチメートル以下である、
請求項２〜５のいずれか１項に記載のクラブヘッド。
【請求項７】
前記少なくとも１つのたわみ機能部が、第１のステップ部分と第１の立ち上がり部分とを備える第１のたわみ機能部を備え、
前記第１のステップ部分が、ステップ部分の第１の側面と、前記ステップ部分の第１の側面の反対側にあるステップ部分の第２の側面とを備え、
前記第１の立ち上がり部分が、立ち上がり部分の第１の側面と、前記立ち上がり部分の第１の側面の反対側にある立ち上がり部分の第２の側面とを備え、
前記前面が上部周縁部分を備え、かつ前記クラウン面が前方周縁部分を備え、
前記ステップ部分の第１の側面が、前記上部周縁部分に隣接し、
前記ステップ部分の第２の側面が、前記立ち上がり部分の第１の側面に隣接し、
前記立ち上がり部分の第２の側面は、前記前方周縁部分に隣接する、
請求項２〜６のいずれか１項に記載のクラブヘッド。
【請求項８】
前記たわみ機構が、（ｉ）前記前面と前記クラウン面との間、または（ｉｉ）前記前面と前記ソール面との間のうちの一方に配置される溝を備え、
前記少なくとも１つのたわみ機能部が、前記溝内に配置される、
請求項１〜７のいずれか１項に記載のクラブヘッド。
【請求項９】
前記たわみ機構が、前記クラブヘッドの前記上端または前記下端のうちの前記一方において、かつ前記クラブヘッドの前記上端または前記下端のうちの前記他方を中心にして、前記本体部分に向けてたわむように前記前面がゴルフボールを打撃するとき、（ｉ）前記ゴルフボールのたわんだときの打ち上げ角が、前記ゴルフボールの静的なときの打ち上げ角よりも高い、または（ｉｉ）前記ゴルフボールのたわんだときのバックスピンが、前記ゴルフボールの静的なときのバックスピンより少ない、
のうちの少なくとも１つである、
請求項１〜８のいずれか１項に記載のクラブヘッド。
【請求項１０】
前記クラブヘッドが、ドライバークラブヘッド、フェアウェーウッドクラブヘッド、またはハイブリッドゴルフクラブヘッドのうちの１つを含む、
請求項１〜９のいずれか１項に記載のクラブヘッド。
【請求項１１】
前記たわみ機構が、少なくとも１つのたわみ機能部を備え、前記少なくとも１つのたわみ機能部の各たわみ機能部が、ステップ部分と立ち上がり部分とを備え、
前記少なくとも１つのたわみ機能部が、第１のステップ部分と第１の立ち上がり部分とを備える第１のたわみ機能部を備え、
前記第１のステップ部分が、ステップ部分の第１の側面と、前記ステップ部分の第１の側面の反対側にあるステップ部分の第２の側面とを備え、
前記第１の立ち上がり部分が、立ち上がり部分の第１の側面と、前記立ち上がり部分の第１の側面の反対側にある立ち上がり部分の第２の側面とを備え、
前記前面が上部周縁部分を備え、かつ前記クラウン面が前方周縁部分を備え、
前記ステップ部分の第１の側面が、前記上部周縁部分に隣接し、
前記ステップ部分の第２の側面が、前記立ち上がり部分の第１の側面に隣接し、
前記立ち上がり部分の第２の側面が、前記前方周縁部分に隣接し、
前記フェース面が前記ロフト面とほぼ同一平面上にある場合、前記少なくとも１つのたわみ機能部の各たわみ機能部の前記ステップ部分が、前記フェース面に対して略垂直であり、かつ前記少なくとも１つのたわみ機能部の各たわみ機能部の前記立ち上がり部分が、前記フェース面に対して略平行であり、
前記たわみ機構が、前記前面と前記クラウン面との間に配置される溝を備える、
請求項１に記載のクラブヘッド。
【請求項１２】
方法であって、
クラブヘッドを提供することであって、
上端と、前記上端の反対側にある下端と、
フェース面およびロフト面と関連している前面を備える前部部分と、
クラウン面とソール面とを備える本体部分と、
を備えるクラブヘッドを提供することと、
前記前部部分と前記本体部分との境界部分に配置されるたわみ機構を提供することであって、前記前面が前記クラブヘッドの前記上端または前記下端のうちの一方において、かつ前記クラブヘッドの前記上端または前記下端のうちの他方を中心にして、前記本体部分に向けてたわむことができるように構成されるたわみ機構を提供することと
を備える、方法。
【請求項１３】
前記クラブヘッドを提供することが、前記たわみ機構を前記クラブヘッドと一緒に鋳造すること、または前記たわみ機構を前記クラブヘッド内に機械加工することのうちの少なくとも１つを備える、
請求項１２に記載の方法。
【請求項１４】
前記たわみ機構を提供することが、少なくとも１つのたわみ機能部を提供することを含み、前記少なくとも１つのたわみ機能部の各たわみ機能部が、ステップ部分と立ち上がり部分とを備える、
請求項１２または１３に記載の方法。
【請求項１５】
前記たわみ機構を提供することが、たわみ機能部に、前記クラブヘッドのほぼヒール−トウ方向の寸法で測定されるステップ部分長さを有するステップ部分、および前記クラブヘッドのほぼ前記ヒール−トウ方向の寸法で測定される立ち上がり部分長さを有する立ち上がり部分を提供することを含み、前記ステップ部分長さおよび前記立ち上がり部分長さが互いにほぼ等しい、
請求項１２または１３に記載の方法。
【請求項１６】
前記たわみ機構を提供することが、たわみ機能部に、前記クラブヘッドのほぼ前後方向の寸法で測定されるステップ部分厚さを有するステップ部分、および前記クラブヘッドのほぼ前記前後方向の寸法で測定される立ち上がり部分厚さを有する立ち上がり部分を提供することを含み、前記ステップ部分厚さおよび前記立ち上がり部分厚さの少なくとも1つが、約０．０６センチメートル以上で、かつ約０．１８センチメートル以下である、
請求項１２または１３に記載の方法。
【請求項１７】
前記少なくとも１つのたわみ機能部を提供することが、前記フェース面が前記ロフト面とほぼ同一平面上にある場合、たわみ機能部角を形成するように前記ステップ部分および前記立ち上がり部分を提供することを含み、前記たわみ機能部角が、約０度よりも大きく、かつ約１８０度未満である、
請求項１４〜１６のいずれか１項に記載の方法。
【請求項１８】
前記たわみ機構を提供することが、前記少なくとも１つのたわみ機能部または前記たわみ機能部を備える１つ以上の溝を、前記１つ以上の溝が、（ｉ）前記前面と前記クラウン面との間または（ｉｉ）前記前面と前記ソール面との間のうちの一方に配置されるように形成することを含む、
請求項１２〜１７のいずれか１項に記載の方法。
【請求項１９】
前記クラブヘッドを提供することが、ドライバークラブヘッド、フェアウェーウッドクラブヘッド、またはハイブリッドゴルフクラブヘッドのうちの１つを提供することを含む、
請求項１２〜１８のいずれか１項に記載の方法。
【請求項２０】
ゴルフクラブであって、
クラブヘッドであって、
上端と、および前記上端の反対側にある下端と、
前面を備える前部部分と、
本体部分と、
前記前部部分と前記本体部分との境界部分に配置されるたわみ機構と、
を備える、クラブヘッドと、
前記クラブヘッドに連結されるクラブシャフトと、
を備え、
前記たわみ機構が、ゴルフボールを前記クラブヘッドの前記前面で打撃することが、前記前面を、前記クラブヘッドの前記上端または前記下端のうちの一方において、かつ前記クラブヘッドの前記上端または前記下端のうちの他方を中心にして、前記本体部分に向けてたわませるように構成される、
ゴルフクラブ。
【請求項２１】
前記ゴルフボールが、前記クラブヘッドの前記前面に当たる時またはその後、および、前記前面を、前記クラブヘッドの前記上端または前記下端のうちの前記一方において、かつ前記クラブヘッドの前記上端または前記下端の前記他方を中心にして、前記本体部分に向けてたわませる時またはその後、前記たわみ機構が、（ｉ）前記前面からの前記ゴルフボールの打ち上げ角を高くする、または（ｉｉ）前記ゴルフボールに加えられるバックスピンを低減する、のうちの少なくとも１つであるように構成される、
請求項２０に記載のゴルフクラブ。
【発明の詳細な説明】
【技術分野】
【０００１】
本開示は、概して、スポーツ用品に関し、より詳細には、クラブヘッドおよび関連方法に関する。
【０００２】
関連出願の相互参照
本出願は、２０１２年９月１９日に出願された、米国特許仮出願第６１／７０３，１４９号、および２０１３年３月１２日に出願された、米国特許非仮出願第１３／７９７，７７２号の利益を主張する。米国特許非仮出願第１３／７９７，７７２号は、米国特許仮出願第６１／７０３,１４９号の利益を主張する。米国特許仮出願第６１／７０３，１４９号および米国特許非仮出願第１３／７９７，７７２号は、本明細書に参照によりその全体を組み込まれる。
【背景技術】
【０００３】
ゴルフクラブによって打撃されたゴルフボールに加えられた打ち上げ角およびバックスピンは、ゴルフボールの飛距離に影響を与え得る。ゴルフクラブの打撃フェースまたは打撃プレートの向きは、ゴルフクラブによって打撃されたゴルフボールに加えられる打ち上げ角およびバックスピンに影響を与え得る。例えば、打ち上げ角は、ゴルフクラブの打撃フェースまたは打撃プレートのロフト角によって影響され得る。さらに、打撃フェースまたは打撃プレートのギア効果によってゴルフボールにバックスピンを加えられ得る。概して、打ち上げ角を高くすること、および／またはバックスピンを低減することは、ゴルフボールの飛距離を伸ばし得る。
【発明の概要】
【課題を解決するための手段】
【０００４】
実施形態のさらなる説明を助けるために、以下の図面が提供される。
【図面の簡単な説明】
【０００５】
【図１】一実施形態による例示的なクラブヘッドを示す上面図である。
【０００６】
【図２】図１の実施形態のクラブヘッドを示す底面背面図である。
【０００７】
【図３】図１の実施形態のクラブヘッドを示す正面図である。
【０００８】
【図４】図１の実施形態のクラブヘッドを示す背面図である。
【０００９】
【図５】図１の実施形態のクラブヘッドを示す上面図である。
【００１０】
【図６】図１の実施形態のクラブヘッドを示す底面図である。
【００１１】
【図７】図１の実施形態のクラブヘッドを示す右側面図である。
【００１２】
【図８】図１の実施形態のクラブヘッドを示す左側面図である。
【００１３】
【図９】クラブヘッドが静止状態にある場合の図１の実施形態のクラブヘッドを図３の線３−３に沿って示す部分断面図である。
【００１４】
【図１０】クラブヘッドの前面がたわんでいる場合の図１の実施形態のクラブヘッドを図３の線３−３に沿って示す部分断面図である。
【００１５】
【図１１】別の実施形態による例示的なクラブヘッドを示す上面図である。
【００１６】
【図１２】図１１の実施形態のクラブヘッドを示す底面背面図である。
【００１７】
【図１３】図１１の実施形態のクラブヘッドを示す正面図である。
【００１８】
【図１４】図１１の実施形態のクラブヘッドを示す背面図である。
【００１９】
【図１５】図１１の実施形態のクラブヘッドを示す上面図である。
【００２０】
【図１６】図１１の実施形態のクラブヘッドを示す底面図である。
【００２１】
【図１７】図１１の実施形態のクラブヘッドを示す右側面図である。
【００２２】
【図１８】図１１の実施形態のクラブヘッドを示す左側面図である。
【００２３】
【図１９】別の実施形態によるクラブヘッドを示す部分断面図である。
【００２４】
【図２０】方法の一実施形態のための流れ図である。
【００２５】
【図２１】図２０の実施形態によるクラブヘッドの前部部分と本体部分との境界部分に配置されるたわみ機構を提供するための例示的な行為を示す図である。
【００２６】
【図２２】方法の別の実施形態のための流れ図である。
【発明を実施するための形態】
【００２７】
説明を簡単かつ明確にするために、図面は構造の概要を示しており、よく知られた機構および技法の説明および細部は、本発明を不必要に不明瞭にすることを避けるために省略される場合がある。また、図面内の要素は必ずしも原寸に比例していない。例えば、図面内の一部の要素の寸法は、本発明の実施形態の理解を深めるのを助けるために、その他の要素に比べて強調される場合がある。異なる図面における同じ参照番号は、同じ要素を意味する。
【００２８】
明細書および特許請求の範囲に「第１」、「第２」、「第３」、「第４」などの語がある場合、これらは、類似の要素どうしを区別するために用いられており、必ずしも特定の連続的または経時的な順番を表すためではない。このように用いられる語は、本明細書に説明される実施形態が、例えば、本明細書に図示または別段に記述されるもの以外の順序で実施できるように、適切な状況下で交換可能であることを理解されたい。さらに、「含む」および「有する」の語、ならびにそれらのあらゆる変形は、非排他的包含に及ぶように意図され、その結果、一連の要素を含むプロセス、方法、システム、物品、デバイス、または装置が、必ずしもこれらの要素に限定されるのではなく、明示的に列挙されていないその他の要素、あるいはそのようなプロセス、方法、システム、物品、デバイス、または装置に内在するその他の要素を含み得る。
【００２９】
明細書および特許請求の範囲に「左」、「右」、「前」、「後」、「上部」、「底部」、「上」、「下」などの語がある場合、これらは、説明の目的のために用いられており、必ずしも永続的な相対位置を説明するためではない。このように用いられる語は、本明細書に説明される発明の実施形態が、例えば、本明細書に図示または別段に記述されるもの以外のその他の向きで実施できるように、適切な状況下で交換可能であることを理解されたい。
【００３０】
「連結する（ｃｏｕｐｌｅ）」「連結される（ｃｏｕｐｌｅｄ）」「連結する（ｃｏｕｐｌｅｓ）」「連結している（ｃｏｕｐｌｉｎｇ）」などの語は、幅広く解釈されるべきであり、２つ以上の要素を機械的および／またはその他の方法で連結することを指す。２つ以上の要素は、一緒に機械的に連結されてもよいが、電気的またはその他の方法では一緒に連結されてはいない。連結は、任意の期間、例えば、永続的または半永続的であってもよいし、ある瞬間だけであってもよい。
【００３１】
「機械的連結（ｍｅｃｈａｎｉｃａｌ  ｃｏｕｐｌｉｎｇ）」などは、幅広く解釈されるべきであり、すべてのタイプの機械的連結を含む。
【００３２】
「連結される」などの語の近くに「取り外し可能に（ｒｅｍｏｖａｂｌｙ）」、「取り外し可能（ｒｅｍｏｖａｂｌｅ）」などの語が無いことは、問題にしている連結などが取り外し可能であることも取り外し可能でないことも意味しない。
【００３３】
一部の実施形態は、クラブヘッドを含む。クラブヘッドは、上端と、上端の反対側にある下端とを備える。さらに、クラブヘッドは、前面を備える前部部分を備える。前面は、フェース面およびロフト面と関連している。またさらに、クラブヘッドは、クラウン面とソール面とを備える本体部分を備える。その一方、クラブヘッドは、前部部分と本体部分との境界部分に配置されるたわみ機構を備える。たわみ機構は、前面が、クラブヘッドの上端または下端のうちの一方において、かつクラブヘッドの上端または下端のうちの他方を中心にして、本体部分に向けてたわむことができるように構成される。
【００３４】
さらなる実施形態は、方法を含む。方法は、クラブヘッドを提供することを含む。クラブヘッドは、上端と、上端の反対側にある下端とを備える。さらに、クラブヘッドは、前面を備える前部部分を備える。前面は、フェース面およびロフト面と関連している。またさらに、クラブヘッドは、クラウン面とソール面とを備える本体部分を備える。また、方法は、前部部分と本体部分との境界部分に配置されるたわみ機構を提供することを含む。
たわみ機構は、前面が、クラブヘッドの上端または下端のうちの一方において、かつクラブヘッドの上端または下端のうちの他方を中心にして、本体部分に向けてたわむことができるように構成される。
【００３５】
その他の実施形態は、方法を含む。方法は、クラブヘッドを振ることを含む。クラブヘッドは、上端と、上端の反対側にある下端とを備える。さらに、クラブヘッドは、前面を備える前部部分を備える。前面は、フェース面およびロフト面と関連している。またさらに、クラブヘッドは、クラウン面とソール面とを備える本体部分を備える。その一方、方法は、ゴルフボールをクラブヘッドの前面で打撃することを含み、ゴルフボールをクラブヘッドの前面で打撃することが、前面をクラブヘッドの上端または下端のうちの一方において、かつクラブヘッドの上端または下端のうちの他方を中心にして、本体部分に向けてたわませることを含む。
【００３６】
さらなる実施形態は、ゴルフクラブを含む。ゴルフクラブは、クラブヘッドと、クラブヘッドに連結されるクラブシャフトとを備える。クラブヘッドは、上端と上端の反対側にある下端と、前面を備える前部部分と、本体部分と、前部部分と本体部分との境界部分に配置されるたわみ機構とを備える。たわみ機構は、ゴルフボールをクラブヘッドの前面で打撃することが、前面をクラブヘッドの上端または下端のうちの一方において、かつクラブヘッドの上端または下端のうちの他方を中心にして、本体部分に向けてたわませるように構成され得る。
【００３７】
図面を参照すると、図１は、一実施形態によるクラブヘッド１００の上面正面図を示している。クラブヘッド１００は、単に例示的なものであり、本明細書に提示される実施形態に限定されるものではない。クラブヘッド１００は、本明細書に具体的に図示または記載していない多くの異なる実施形態または実施例に用いられ得る。
【００３８】
クラブヘッド１００は、任意の好適なクラブヘッドを備え得るが、多くの実施例では、クラブヘッド１００は、ウッドタイプのゴルフクラブヘッド（例えば、ドライバークラブヘッド、フェアウェーウッドクラブヘッド、ハイブリッドクラブヘッドなど）を備える。これらまたはその他の実施例では、クラブヘッド１００は、金属製のウッドゴルフクラブヘッドを備え得るが、クラブヘッド１００はまた、１つ以上のその他の好適な材料を備え得る。特に、クラブヘッド１００の少なくとも一部は、ステンレス鋼、チタン、チタン合金などを備え得る。様々な実施形態において、クラブヘッド１００は中空であり得る。概して、クラブヘッド１００は、ゴルフクラブの一部であり得る。
【００３９】
クラブヘッド１００は、上端１０１と、下端１０２と、前端１０３と、後端１０４と、トウ端１０５と、ヒール端１０６とを備える。さらに、クラブヘッド１００は、前部部分１０７と、本体部分１０８と、たわみ機構１１２と、境界部分１１３とを備える。クラブヘッド１００は、ホーゼル１１４、ホーゼル移行部分１１５、および／または１つ以上のウェイトポート２１７（図２）を備え得る。一部の実施形態では、クラブヘッド１００は、スカート面１１６を備え得る。その一方、その他の実施形態では、ホーゼル１１４、ホーゼル移行部分１１５、スカート面１１６、および／またはウェイトポート（複数可）２１７（図２）は省略され得る。前部部分１０７は、前面１０９を備える。本体部分１０８は、クラウン面１１０とソール面１１１とを備え、またスカート面１１６をさらに備えることもできる。一部の実施形態では、ソール面１１１および／またはスカート面１１６は、ウェイトポート（複数可）２１７（図２）を備え得る。
【００４０】
上端１０１は下端１０２の反対側にあり、前端１０３は後端１０４の反対側にあり、トウ端１０５はヒール端１０６の反対側にある。後部部分１０８および／またはスカート面１１６は、前部部分１０７の少なくとも部分的に反対側であり得る、ならびに／あるいはクラウン面１１０は、ソール面１１１の少なくとも部分的に反対側であり得る。多くの実施例では、スカート面１１６は、クラウン面１１０の少なくとも一部と、ソール面１１１の少なくとも一部との間に配置され得る。これらの実施例では、スカート面１１６は、クラブヘッド１００の後端１０４の周囲にトウ端１０５からヒール端１０６まで巻き付き得る。
【００４１】
前部部分１０７は、本体部分１０８と連結され得る、および／または一体であり得る。したがって、前部部分１０７は、後述のように、本体部分１０８と境界部分１１３で結合するように見え得る。さらに、クラウン面１１０、ソール面１１１、および／またはスカート面１１６もまた、一緒に結合するように見え得る。したがって、前面１０９、クラウン面１１０、ソール面１１１、およびスカート面１１６のうちの１つ以上は、単一の表面を備えるように見え得る。一部の実施形態では、前面１０９、クラウン面１１０、ソール面１１１、およびスカート面１１６の間の移行部のうちの１つ以上は、湾曲している、および／または面取りされている（例えば、平滑）こともあり、その他の実施形態では、尖っている、および／または角度をつけられていることもある。
【００４２】
境界部分１１３は、前部部分１０７と本体部分１０８との間における移行の線または領域を指し得る。前部部分１０７と本体部分１０８とが一緒に機械的に連結される場合、境界部分１１３は、２つが一緒に機械的に連結される前部部分１０７と本体部分１０８との物理的境界によって画定され得る。しかしながら、多くの実施例では、前部部分１０７および本体部分１０８は、例えば、前部部分１０７と本体部分１０８とが一緒に形成される場合など、一体の本体を備え得る。これらの実施例では、境界部分１１３は、前部部分１０７が本体部分１０８に移行する、またはその逆である、代表的な線または領域を画定し得る。多くの実施例では、ホーゼル１１４および／またはホーゼル移行部分１１５は、境界部分１１３の一部を形成するような本体部分１０８の一部であり得る。
【００４３】
たわみ機構１１２は、前部部分１０７と本体部分１０８との境界部分１１３に（例えば、部分的に沿って）配置される。より具体的には、たわみ機構１１２は、クラブヘッド１００の（図１に示されるような）上端１０１または（図１に示されていない）下端１０２のうちの一方に境界部分１１３において配置される。たわみ機構１１２は、トウ端１０５とヒール端１０６との間に（例えば、連続的または非連続的に）延在し得る。たわみ機構１１２は、ほぼ前面１０９の幅以下まで延在し得る。以下に詳述されるたわみ機構１１２は、（ａ）前面１０９が、上端１０１または下端１０２のうちの一方において本体部分１０８に向けてたわむことができるように、かつ（ｂ）前面１０９が、上端１０１または下端１０２のうちの他方を中心にして（すなわち、回転して）たわむことができるように構成される。
【００４４】
前面１０９は、クラブヘッド１００の打撃フェースおよび／または打撃プレートを指し得、またゴルフボール（図示せず）を打撃するように構成され得る。前面１０９は、１つ以上のスコアリングライン（例えば、溝）を備え得る。スコアリングライン（複数可）は、トウ端１０５とヒール端１０６との間に延在し得る。前面１０９が、複数のスコアリングラインを備える場合、スコアリングラインは、互いに平行であり得る。
【００４５】
ホーゼル１１４および／またはホーゼル移行部分１１５は、ヒール端１０６またはその付近に配置され得、ホーゼル１１４は、クラブヘッド１００からホーゼル移行部分１１５を介して延在し得る。ホーゼル１１４は、シャフト（図示せず）を受けるように構成され得る。異なる実施形態では、クラブヘッド１００は、シャフトを受容するように構成される孔（図示せず）を備え得る。さらに、孔の開口部は、クラウン面１１０と実質的に同一平面上であり得る。ホーゼル１１４（または穴）がシャフトを受容するときけた時、クラブヘッド１００およびシャフトは、上述のように、ゴルフクラブを実質的に提供し得る。
【００４６】
ウェイトポート（複数可）２１７は、クラブヘッド１００の物理的特性を変えることができ、クラブヘッド１００の１つ以上のパラメータを（例えば、所望どおりに）調節可能にする。ウェイトポート（複数可）２１７は、のウェイト（例えば、取り外し可能なウェイト）を受けるように構成され得るが、１つまたは２つ以上１つ以上のウェイトポート（複数可）２１７は、ウェイトなしのままとされてもよい。ウェイト（複数可）が取り外し可能である場合、ウェイト（複数可）は、異なる質量を有する一式のウェイト（複数可）の一部であり得る。ウェイトポート（複数可）２１７は、クラブヘッド１００におけるウェイトポート（複数可）２１７の位置（複数可）および／またはウェイトポート（複数可）２１７で受けたウェイト（複数可）の質量に基づいて、クラブヘッド１００の物理的特性を変えることができる。一部の実施例では、ウェイトポート（複数可）２１７は、例えば、製造コストを下げる、および／またはクラブヘッド１００の取扱いの複雑性を減らすなどのために、省略され得る。
【００４７】
多くの実施例では、ウェイトポート（複数可）２１７は、クラブヘッド１００の重心の位置を変えることができる。例えば、クラブヘッド１００の重心の位置は、上端１０１、下端１０２、前端１０３、後端１０４、トウ端１０５、およびヒール端１０６のいずれかに向けて、所望通りに移動させることができる。上端１０１、下端１０２、前端１０３、後端１０４、トウ端１０５、およびヒール端１０６の（例えば、に向けた）方向に、質量を増量することでも、重心をその方向に移動することができる。重心の位置は、例えば、ゴルフクラブ１００による打撃でゴルフボールに加えられた打ち上げ角および／または力などのゴルフクラブ１００の様々なパフォーマンス特性に影響し得る。
【００４８】
クラブヘッド１００の重心の位置を変えることは、クラブヘッド１００の重心まわりおよび／またはホーゼル１１４で受容したシャフトまわりのクラブヘッド１００の慣性モーメントを変えることができる。重心の慣性モーメントは、例えば、ゴルフクラブ１００による打撃でゴルフボールに加えられたスピンなどのゴルフクラブ１００の様々なパフォーマンス特性に影響し得る。したがって、ウェイトポート（複数可）２１７はまた、クラブヘッド１００の重心まわりおよび／またはホーゼル１１４で受容たシャフトまわりのクラブヘッド１００の慣性モーメントを変えることができる。
【００４９】
図面を参照すると、図２〜図８は、追加的な視点から、図１の実施形態によるクラブヘッド１００を示している。特に、図２は、図１の実施形態によるクラブヘッド１００の底面背面図を示しており、ここでは、ウェイトポート（複数可）２１７を視認できる。その一方、図３はクラブヘッド１００の正面図を示し、図４はクラブヘッド１００の背面図を示し、図５はクラブヘッド１００の上面図を示し、図６はクラブヘッド１００の底面図を示し、図７はクラブヘッド１００の右側面図を示し、図８はクラブヘッド１００の肥立ち側面図を示している。図１〜図８は、クラブヘッド１００の特定の例示的な実施形態を示しているが、クラブヘッド１００は、図１〜図８に図示されていない特定の部分および／または表面を備え得、ならびに／あるいは図１〜図８に示されている特定の部分および／または表面を省略し得る。
【００５０】
再び図面を参照すると、図９は、図３の線３−３に沿ったクラブヘッド１００の部分断面図を示している。より具体的には、図９は、たわみ機構１１２を示している。その一方、図９にさらに示されているように、前面１０９は、フェース面９１８およびロフト面９２５と関連し得る。
【００５１】
たわみ機構（ｍｅｃｈａｎｉｓｍ）１１２は、１つまたは２つ以上１つ以上のたわみ機能部（ｆｅａｔｕｒｅ）９１９を備える。たわみ機構１１２は、１つまたは２つ以上１つ以上の溝９２４を備え得る。たわみ機構１１２、たわみ機能部（複数可）９１９、および／または溝（複数可）９２４は、（ｉ）前面１０９およびクラウン面１１０または（ｉｉ）前面１０９およびソール面１１１（図１〜図８）のうちの１つの間の境界部分１１３（図１〜図８）に（例えば、沿って）配置され得る。さらに、たわみ機能部（複数可）９１９は、溝（複数可）９２４に配置され得る。これらの実施例では、溝（複数可）９２４のそれぞれが、たわみ機能部（複数可）９１９のうちの１つ以上を備え得る。様々な実施形態において、たわみ機構１１２は、ただ１つのたわみ機能部を備えるただ１つの溝を備える。
【００５２】
フェース面９１８およびロフト面９２５は、クラブヘッド１００の第１および第２の基準面を指し得る。フェース面９１８は、前面１０９の最前の点または複数の点（例えば、前端１０３（図１〜図８）に最も近い）と交わる。さらに、フェース面９１８は、クラブヘッド１００がゴルフボールにアドレスするように配置されるとき、およびクラブヘッド１００が静止状態にある場合（すなわち、前面１０９が本体部分１０８に向けてたわんでいない場合）、前面１０９と略平行であり得る。前面１０９が平面である、および／または実質的に平面である場合、前面１０９およびフェース面９１８は、ほぼ同一平面上にあり得る。その一方、しばしばウッドタイプクラブヘッドで実装され得るように、前面１０９が湾曲している（例えば、平面でない）場合、フェース面９１８は、前面１０９の湾曲における屈曲点と交わる基準面を指し得る。したがって、前面１０９の少なくとも一部分が、フェース面９１８の後方に配置され得る。概して、フェース面９１８およびロフト面９２５は、クラブヘッド１００がゴルフボールに対してアドレスするように配置される場合、およびクラブヘッド１００が静止状態にある場合、互いに平行かつ同一平面上にある。ロフト面９２５とフェース面９１８とは、ロフト面の向きが静止したままである一方、フェース面９１８の向きが前面１０９のたわみによって変わるという点で区別され得る。したがって、ロフト面９２５の向きに対するフェース面９１８の向きの関係が、フェース面９１８のたわみを表すのに役立ち得る。この約束事のもとで、フェース面９１８がロフト面９２５と同一平面上にある場合、クラブヘッド１００は、先述のように静止状態にあり得る。
【００５３】
多くの実施形態において、たわみ機構１１２、たわみ機能部（複数可）９１９、および／または溝９２４は、前部部分１０７（図１〜図８）および／または本体部分１０８と一緒に鋳造され得る。その他の実施形態では、たわみ機構１１２、たわみ機能部（複数可）９１９、および／または溝９２４は、クラブヘッド１００の境界部分１１３（図１〜図８）で機械加工され得る。またさらに、たわみ機構１１２、たわみ機能部（複数可）９１９、および／または溝９２４は、任意の好適な製造技法により提供され得る。
【００５４】
その一方、たわみ機能部（複数可）９１９は、前面１０９が、（ａ）上端１０１または下端１０２のうちの一方において本体部分１０８に向けて（すなわち、クラブヘッド１００のロフト面から上端１０１（図１〜図８）または下端１０２（図１〜図８）で離れるように）、かつ（ｂ）上端１０１または下端１０２のうちの他方を中心にして（すなわち、回転して）たわむことができるようにする任意の好適な幾何形状で配設することができる。動作可能に、たわみ機構１１２およびたわみ機能部（複数可）９１９は、境界部分１１３に（すなわち、上端１０１（図１〜図８）または下端１０２（図１〜図８）のいずれかにおいて境界部分１１３（図１〜図８）に沿って）配置された弾力性のある衝撃吸収帯として作用して、物体（例えば、ゴルフボール）との前面１０９の衝突が、たわみ機構１１２および／またはたわみ機能部（複数可）９１９において、前面１０９を本体部分１０８に向けて（すなわち、上端１０１または下端１０２でクラブヘッド１００のロフト面から離れるように）たわませるようにし得る。その一方、たわみ機構１１２が、物体と接触して、たわみ機構１１２および／またはたわみ機能部（複数可）９１９でつぶれた場合、前面１０９は、たわみ機構１１２および／またはたわみ機能部（複数可）９１９が配置されていない、上端１０１（図１〜図８）または下端１０２（図１〜図８）のうちの他方における境界部分１１３を中心にして（すなわち、回転して）たわみ得る。したがって、前面１０９は、梁の自由端に力を加えられ、梁の固定端を中心にして屈曲する片持ち梁と同様に挙動し得る。
【００５５】
したがって、たわみ機能部（複数可）９１９のそれぞれは、曲線あるいは２つまたは３つ以上の線分を備える多角形の連鎖を備え得る。例えば、たわみ機能部（複数可）９１９のそれぞれは、ステップ部分と、立ち上がり部分との２つの区分を備え得る（例えば、ステップ部分９２０および立ち上がり部分９２１など）。結果として、これらの実施例では、たわみ機能部（複数可）９１９は、階段に類似し得る。具体的な実施例では、たわみ機能部（複数可）９１９は、たわみ機能部角９２６を備え得、またたわみ機能部（複数可）９１９は、ステップ部分９２０と立ち上がり部分９２１とを備え得る。ステップ部分９２０は、ステップ部分の第１の側面９２７と、ステップ部分の第１の側面９２７の反対側にあるステップ部分の第２の側面９２８とを備え得る。さらに、立ち上がり部分９２１は、立ち上がり部分の第１の側面９２９と、立ち上がり部分の第１の側面９２９の反対側にある立ち上がり部分の第２の側面９３０とを備え得る。その一方、前面１０９は、上部周縁部分９３１を備え得、またクラウン面１１０は、前方周縁部分９３２を備え得る。ステップ部分の第１の側面９２７は、上部周縁部分９３１に隣接、移行、および／または接触（例えば、連結）し得、ステップ部分の第２の側面９２８は、立ち上がり部分の第１の側面９２９に隣接、移行、および／または接触（例えば、連結）し得、立ち上がり部分の第２の側面９３０は、前方周縁部分９３２に隣接、移行、および／または接触（例えば、連結）し得る。ステップ部分の第１の側面９２７と上部周縁部分９３１との間、ステップ部分の第２の側面９２８と立ち上がり部分の第１の側面９２９との間、および立ち上がり部分の第２の側面９３０と前方周縁部分９３２との間の隣接点、移行部、および／または接触点は、所望に応じて、面取りされ得る、または角度をつけられ得る。
【００５６】
クラブヘッド１００が静止状態にある（例えば、フェース面９１８がロフト面９２５とほぼ同一平面上にある）場合、たわみ機能部（複数可）９１９のステップ部分（複数可）（例えば、ステップ部分９２０）は、フェース面９１８に対して略垂直であり得る、および／またはたわみ機能部（複数可）９１９の立ち上がり部分（複数可）（例えば、立ち上がり部分９２１）は、フェース面９１８に対して略平行であり得る。このように配設することにより、前面１０９がゴルフボールを打撃する場合、ステップ部分（複数可）（例えば、ステップ部分９２０）は、圧縮（例えば、純粋な圧縮）を受ける荷重伝達梁（複数可）として動作し得る、および／または立ち上がり部分（複数可）（例えば、立ち上がり部分９２１）は、曲げ（例えば、純粋曲げ）を受けるたわみ梁（複数可）として動作し得る。さらに、クラブヘッド１００が静止状態にある場合、たわみ機能部（複数可）９１９のステップ部分および立ち上がり部分の各組は、たわみ機能部角（例えば、たわみ機能部角９２６）を形成し得る。たわみ機能部角は、約０度よりも大きく、かつ約１８０度よりも小さいものであり得る。さらなる実施形態では、たわみ機能部角は、約８０度以上、かつ約１００度以下であり得る。多くの実施例では、たわみ機能部角は、約９０度であり得る。
【００５７】
その一方、たわみ機能部（複数可）９１９の各ステップ部分（例えば、ステップ部分９２０）は、ステップ部分長さを備え得、またたわみ機能部（複数可）９１９の各立ち上がり部分（例えば、立ち上がり部分９２１）は、立ち上がり部分長さを備え得る。ステップ部分長さは、前端１０３（図１〜図８）と後端１０４（図１〜図８）とのほぼ間に延在するステップ部分（複数可）の寸法を指し得、また立ち上がり部分長さは、上端１０１（図１〜図８）と下端１０２（図１〜図８）とのほぼ間に延在する立ち上がり部分（複数可）の寸法を指し得る。多くの実施例では、ステップ部分長さ（複数可）および／または立ち上がり部分長さ（複数可）は、約２．５４０センチメートル以上で、かつ約１０．１６センチメートル以下であり得る。ステップ部分長さ（複数可）と立ち上がり部分長さ（複数可）とは、互いに等しくてもよいし、異なっていてもよい。ステップ部分長さ（複数可）が長くなると、前面１０９がゴルフボールを打撃した際、ステップ部分（複数可）は座屈しやすくなり得る。その一方、立ち上がり長さ（複数可）が長くなると、立ち上がり部分（複数可）は、さらなる曲げを経る場合もあるが、前面１０９に対する補償を実施しない限り、前面１０９の高さもまたさらに低くし得る。
【００５８】
またさらに、たわみ機能部（複数可）９１９の各ステップ部分（例えば、ステップ部分９２０）は、ステップ部分厚さを備え得、またたわみ機能部（複数可）９１９の各立ち上がり部分（例えば、立ち上がり部分９２１）は、立ち上がり部分厚さを備え得る。立ち上がり部分厚さは、前端１０３（図１〜図８）と後端１０４（図１〜図８）とのほぼ間に延在する立ち上がり部分（複数可）の寸法を指し得、またステップ部分厚さは、上端１０１（図１〜図８）と下端１０２（図１〜図８）とのほぼ間に延在するステップ部分（複数可）の寸法を指し得る。ステップ部分厚さ（複数可）と立ち上がり部分厚さ（複数可）とは、互いに等しくてもよいし、異なっていてもよい。多くの実施例では、ステップ部分厚さ（複数可）および／または立ち上がり部分厚さ（複数可）は、約０．０６センチメートル以上かつ約０．１８センチメートル以下であり得る。
【００５９】
概して、たわみ機能部（複数可）９１９が複数のたわみ機能部を備える場合、たわみ機能部角、ステップ部分長さ、立ち上がり部分長さ、ステップ部分厚さ、および／または立ち上がり部分厚さは、複数のたわみ機能部のうちの１つ以上の間で同じであってもよいし、異なっていてもよい。さらに、たわみ機能部（複数可）９１９は、前部部分１０７（図１〜図８）および／または本体部分１０８と同じまたは異なる材料を備え得る。
【００６０】
前面１０９の上部たわみの下部たわみに対する比を変えることによって、たわみ機構１１２は、ゴルフボールを打撃する際のクラブヘッド１００の速度に応じて、ゴルフボールの打ち上げ角を動的に変える、および／またはゴルフボールのバックスピンを動的に変えるように構成され得る。つまり、前面１０９にゴルフボールによって加えられる力は、ゴルフボールを打撃する際のクラブヘッド１００の速度に依存し得る。したがって、ゴルフボールのたわみ打ち上げ角は、ゴルフボールの静的打ち上げ角よりも高くなり得る、および／またはゴルフボールのたわみバックスピンは、ゴルフボールの静的バックスピンよりも少ないものであり得る。たわみ打ち上げ角およびたわみバックスピンは、静的打ち上げ角および静的バックスピンに対比して、たわみ機構１１２が実装された場合の打ち上げ角およびバックスピンを指し得、静的なときの打ち上げ角および静的バックスピンは、たわみ機構１１２が存在しない場合の打ち上げ角およびバックスピンを指し得る。打ち上げ角が高くなる、および／またはバックスピンが低減する程度は、前面１０９にどのくらいの力が伝わるか（すなわち、たわみ機構１１２が本体部分１０８に向けてどのくらいたわむか）に依存し得る。力が大きくなるほど、打ち上げ角が高くなり、バックスピンが低減する。多くの実施例では、打ち上げ角を高くすること、および／またはバックスピンを低減することは、ゴルフボールの飛距離を伸ばし得る。高くなった打ち上げ角は、前面１０９が本体部分１０８に向けてたわむ際の、前面１０９の拡大したロフト角に由来し得る。その一方、低減したバックスピンは、前面１０９が本体部分１０８に向けてたわむ際の、前面１０９によりゴルフボールに加えられた増大したトップスピンギア効果に由来し得る。多くの実施例では、打ち上げ角は、約０度よりも大きく、かつ約２度以下だけ増加することができる。さらに、バックスピンは、毎分約０回転よりも大きく、かつ毎分約５００回転以下で低減され得る。
【００６１】
一部の実施形態では、たわみ機構１１２の効果は、ウェイトポート（複数可）２１７の効果と組み合わされて、クラブヘッド１００のパフォーマンス特性をより詳細に調整し得る。例えば、一部の実施形態では、たわみ機構１１２と共にウェイトポート（複数可）２１７を組み込むことは、ゴルフボールの打ち上げ角および／またはスピンを、たわみ機構１１２でなし得るよりも大幅に変えることができるようにし得る。さらなる実施形態では、ウェイトポート（複数可）２１７は、ゴルフボールの打ち上げ角および／またはスピンを精密に調整できるようにし得る。
【００６２】
多くの実施例では、たわみ機構１１２が上端１０１（図１〜図１０）に配置される場合、たわみ機構１１２は、ゴルフボールの打ち上げ角を動的に高くし、かつバックスピンを動的に低減し得る。その一方、たわみ機構１１２が下端１０２（図示せず）に配置される場合、たわみ機構１１２は、ゴルフボールの打ち上げ角およびバックスピンを動的に低減し得る。しかしながら、これらの実施例では、たわみ機構１１２は、バックスピンの低減が打ち上げ角の低下を補償して、伸びた飛距離が依然として達成されるようにするように構成され得る。
【００６３】
その一方、たわみ機構１１２を境界部分１１３（図１〜図８）に配置することによって、たわみ機構１１２は、たわみ機構１１２がクラブヘッド１００のあちこちに配置されたとしても、クラブヘッド１００のユーザに対してより気が散る物でなくなり得る。したがって、多くの実施例では、ユーザの気を散らすのを軽減するために、クラブヘッド１００および／またはクラウン面１１０は、前面１０９のたわみを変えるように構成されるその他の機構がないものであり得る。さらに、たわみ機構１１２は、前面１０９でスコアリングラインに調和するように構成され得る。またさらに、たわみ機構１１２を境界部分１１３（図１〜図８）（すなわち、前面１０９付近）に配置することによって、たわみ機構１１２は、より目立たなくなり得る（例えば、溝（複数可）９２４が浅くなり得る）。
【００６４】
再び図面を参照すると、図１０は、前面１０９が本体部分１０８に向けてたわんだ場合における、図３の線３−３に沿ったクラブヘッド１００の部分断面図を示している。したがって、フェース面９１８は、ロフト面９２５と同一平面上にはない。
【００６５】
次の図面を参照すると、図１１〜図１８は、別の実施形態によるクラブヘッド１１００の様々な図を示している。クラブヘッド１１００は、クラブヘッド１００（図１〜図１０）に類似のものであり得るが、ウェイトポート（複数可）を持たないものであり得る。したがって、クラブヘッド１１００の要素が、クラブヘッド１００（図１〜図１０）の参照番号と同じ下二桁を有する番号で参照される場合、要素は、クラブヘッド１００のものと類似または同一であり得る。その結果、一部の実施形態では、クラブヘッド１１００は、クラブヘッド１００（図１〜図１０）よりも製造するのに費用がかからない、および／または取扱いが複雑でないものであり得る。
【００６６】
さらに、図１９は、クラブヘッド１９００の部分断面図を示している。クラブヘッド１９００は、クラブヘッド１００（図１〜図１０）およびクラブヘッド１１００（図１１〜図１８）に類似のものであり得る。したがって、クラブヘッド１９００の要素が、クラブヘッド１００（図１〜図１０）およびクラブヘッド１１００（図１１〜図１８）の参照番号と同じ下二桁を有する番号で参照される場合、要素は、クラブヘッド１００およびクラブヘッド１１００のものと類似または同一であり得る。またさらに、クラブヘッド１９００は、たわみ機構１９１２を備え、たわみ機構は、ステップ部分１９２０と、立ち上がり部分１９２１と、ステップ部分１９２２と、立ち上がり部分１９２３とを備える。ステップ部分１９２０およびステップ部分１９２２はそれぞれ、ステップ部分９２０（図９）と類似または同一であり得、また立ち上がり部分１９２１および立ち上がり部分１９２３はそれぞれ、立ち上がり部分９２１（図９）と類似または同一であり得る。
【００６７】
多くの実施形態では、クラブヘッド１００（図１〜図１０）、クラブヘッド１１００（図１１〜図１８）、および／またはクラブヘッド１９００（図１９）のいずれかは、それぞれ、例えば、クラブヘッド１００、クラブヘッド１１００、および／またはクラブヘッド１９００の製造業者を示すためなど、１つ以上の商標および／またはその他の象徴を備え得る。
【００６８】
次の図面を参照すると、図２０は、方法２０００の一実施形態のための流れ図を示している。方法２０００は、単に例示的なものであり、本明細書に提示される実施形態に限定されるものではない。方法２０００は、本明細書に具体的に図示または記載していない多くの異なる実施形態または実施例に用いられ得る。一部の実施形態では、方法２０００の手順、工程、および／または行為は、提示された順番で実行され得る。その他の実施形態では、方法２０００の手順、工程、および／または行為は、任意のその他の好適な順番で実行され得る。さらなるその他の実施形態では、方法２０００における手順、工程、および／または行為のうちの１つまたは２つ以上は、組み合わせ、または省略され得る。
【００６９】
方法２０００は、クラブヘッドを提供するための行為２００１を含み得る。クラブヘッドは、クラブヘッド１００（図１〜図１０）、クラブヘッド１１００（図１１〜図１８）、および／またはクラブヘッド１９００（図１９）に類似または同一であり得る。例えば、クラブヘッドは、上端と、上端の反対側にある下端とを備え得る。また、クラブヘッドは、前面を備える前部部分を備え、またクラウン面とソール面とを備える本体部分を備え得る。上端は、上端１０１（図１〜図８）および／または上端１１０１（図１１〜図１８）と類似または同一であり得、また下端は、下端１０２（図１〜図８）および／または下端１１０２（図１１〜図１８）と類似または同一であり得る。さらに、前部部分は、前部部分１０７（図１〜図８）および／または前部部分１１０７（図１１〜図１８）と類似または同一であり得、前面は、前面１０９（図１〜図１０）、前面１１０９（図１１〜図１８）、および／または前面１９０９（図１９）と類似または同一であり得、本体部分は、本体部分１０８（図１〜図８）、本体部分１１０８（図１１〜図１８）、および／または本体部分１９０８（図１９）と類似または同一であり得、クラウン面は、クラウン面１１０（図１〜図１０）、クラウン面１１１０（図１１〜図１８）、および／またはクラウン面１９１０（図１９）と類似または同一であり得、ならびに／あるいはソール面は、ソール面１１１（図１〜図８）および／またはソール面１１１１（図１１〜図１８）と類似または同一であり得る。
【００７０】
方法２０００は、前部部分と本体部分との境界部分に配置されるたわみ機構を提供する行為２００２を含み得る。たわみ機構は、たわみ機構１１２（図１〜図１０）、たわみ機構１１１２（図１１〜図１８）、および／またはたわみ機構１９１２（図１９）と類似または同一であり得る。さらに、境界部分は、境界部分１１３（図１〜図８）および／または境界部分１１１３（図１１〜図１８）類似または同一であり得る。一部の実施形態では、行為２００２は、行為２００１の一部分として実行され得る、および／または行為２００１とほぼ同時に実行され得る。多くの実施例では、行為２００１を実行することは、たわみ機構をクラブヘッドと一緒に鋳造することを含み得る。その他の実施例では、行為２００１を実行することは、たわみ機構をクラブヘッド内に機械加工することを含み得る。図２１は、図２０の実施形態による例示的な行為２００２を示している。
【００７１】
図２１を参照すると、行為２００２は、少なくとも１つのたわみ機能部を提供するための行為２１０１を含み得る。たわみ機能部（複数可）は、たわみ機能部（複数可）９１９（図９および図１０）と類似または同一であり得る。例えば、各たわみ機能部は、ステップ部分と立ち上がり部分とを備え得る。ステップ部分（複数可）のそれぞれは、ステップ部分９２０（図９および図１０）、ステップ部分１９２０（図１９）、および／またはステップ部分１９２２（図１９）と類似または同一であり得、また立ち上がり部分（複数可）のそれぞれは、立ち上がり部分９２１（図９および図１０）、立ち上がり部分１９２１（図１９）、および／または立ち上がり部分１９２３（図１９）と類似または同一であり得る。さらに、たわみ機能部（複数可）を提供することは、各たわみ機能部のステップ部分および立ち上がり部分を提供して、前面と関連しているフェース面が前面と関連しているロフト面とほぼ同一平面上にある場合、たわみ機能部角を形成することを含み得る。たわみ機能部角は、たわみ機能部角９２６（図９）と類似または同一であり得る。さらに、フェース面は、フェース面９１８（図９および図１０）と類似または同一であり得る、および／またはロフト面は、ロフト面９２５（図９および図１０）と類似または同一であり得る。
【００７２】
さらに、行為２００１は、１つ以上の溝を形成するための行為２１０２を含み得る。溝（複数可）は、溝（複数可）９２４（図９および図１０）と類似または同一であり得る。一部の実施形態では、行為２１０１および行為２１０２は、互いにほぼ同時に実行され得る。その他の実施形態では、行為２１０２は省略され得る。
【００７３】
次の図面を参照すると、図２２は、方法２２００の一実施形態のための流れ図を示している。方法２２００は、単に例示的なものであり、本明細書に提示される実施形態に限定されるものではない。方法２２００は、本明細書に具体的に図示または記載していない多くの異なる実施形態または実施例に用いられ得る。一部の実施形態では、方法２２００の手順、工程、および／または行為は、提示された順番で実行され得る。その他の実施形態では、方法２２００の手順、工程、および／または行為は、任意のその他の好適な順番で実行され得る。さらなるその他の実施形態では、方法２２００における手順、工程、および／または行為のうちの１つまたは２つ以上は、組み合わせ、または省略され得る。
【００７４】
方法２２００は、クラブヘッドを振るための行為２２０１を含み得る。クラブヘッドは、クラブヘッド１００（図１〜図１０）、クラブヘッド１１００（図１１〜図１８）、および／またはクラブヘッド１９００（図１９）に類似または同一であり得る。例えば、クラブヘッドは、上端と、上端の反対側にある下端とを備え得る。また、クラブヘッドは、前面を備える前部部分を備え、またクラウン面とソール面とを備える本体部分を備え得る。上端は、上端１０１（図１〜図８）および／または上端１１０１（図１１〜図１８）と類似または同一であり得、また下端は、下端１０２（図１〜図８）および／または下端１１０２（図１１〜図１８）と類似または同一であり得る。さらに、前部部分は、前部部分１０７（図１〜図８）および／または前部部分１１０７（図１１〜図１８）と類似または同一であり得、前面は、前面１０９（図１〜図１０）、前面１１０９（図１１〜図１８）、および／または前面１９０９（図１９）と類似または同一であり得、本体部分は、本体部分１０８（図１〜図８）、本体部分１１０８（図１１〜図１８）、および／または本体部分１９０８（図１９）と類似または同一であり得、クラウン面は、クラウン面１１０（図１〜図１０）、クラウン面１１１０（図１１〜図１８）、および／またはクラウン面１９１０（図１９）と類似または同一であり得、ならびに／あるいはソール面は、ソール面１１１（図１〜図８）および／またはソール面１１１１（図１１〜図１８）と類似または同一であり得る。
【００７５】
方法２２００は、ゴルフボールをクラブヘッドの前面で打撃する行為２２０２を含み得、ゴルフボールをクラブヘッドの前面で打撃することが、前面をクラブヘッドの上端または下端のうちの一方において、かつクラブヘッドの上端または下端のうちの他方を中心にして、本体部分に向けてたわませることをさらに含む。多くの実施例では、前面を、クラブヘッドの上端または下端のうちの一方において、かつクラブヘッドの上端または下端のうちの他方を中心にして、本体部分に向けてたわませることは、（ａ）前面からのゴルフボールの打ち上げ角を高くすること、および／または（ｂ）ゴルフボールに加えられるバックスピンを低減することを含み得る。
【００７６】
具体的な実施形態を参照して本発明を説明してきたが、本発明の精神または範囲から逸脱することなく様々な変更がなされ得ることが、当業者には理解されるはずである。したがって、本発明の実施形態の開示は、本発明の範囲の説明となることを意図されており、限定することを意図されていない。本発明の範囲は、添付の特許請求の範囲によって要求される程度にだけ限定されることが意図されている。例えば、当業者であれば、図２０の行為２００１および２００２、図２１の行為２１０１および２１０２、および／または図２０の行為２２０１および２２０２が、多くの異なる手順、工程、および行為を含み得、かつ多くの異なるモジュールによって、多くの異なる順番で実行され得ること、図１〜図２２の任意の要素が修正されてもよく、ならびにこれらの実施形態のいくつかの先の考察は、必ずしもすべての可能な実施形態の完全な説明を表すものではないことを容易に理解するはずである。
【００７７】
任意の特定の請求項で請求されたすべての要素は、その特定の請求項で請求される実施形態に不可欠である。よって、１つ以上の請求された要素の置き換えは、修理ではなく改造となる。加えて、利益、その他の利点、および問題に対する解決策を、具体的な実施形態に関して説明してきた。しかしながら、利益、利点、問題に対する解決策、およびあらゆる利益、利点、または解決策を、生じさせる、またはより明白になるようにさせる任意の要素または複数の要素は、そのような利益、利点、解決策、または要素がそのような請求項において明示的に述べられているのでないかぎり、請求項のいずれかまたはすべてにおいて決定的、必須、もしくは不可欠な特徴または要素と解釈されるべきではない。
【００７８】
ゴルフのルールは時々変わり得ることから（例えば、全米ゴルフ協会（ＵＳＧＡ）、全英ゴルフ協会（Ｒ＆Ａ）などのゴルフの標準化組織および／または管理機関によって、新しい規則が適用され得る、または古いルールが削除もしくは修正され得る）、本明細書に説明される装置、方法、および製品に関係するゴルフ用品は、特定の時におけるゴルフのルールに従っている場合もあるし、従っていない場合もある。したがって、本明細書に説明される装置、方法、および製品に関係するゴルフ用品は、準拠または非準拠のゴルフ用品として宣伝され、販売用に提供され、および／または販売される場合がある。本明細書に説明される装置、方法、および製品は、この点で限定されるものではない。
【００７９】
上記の実施例は、ウッドタイプのゴルフクラブヘッドと関連して説明されたかもしれないが、本明細書に説明される装置、方法、および製品は、アイアンタイプのゴルフクラブ、ウェッジタイプのゴルフクラブ、またはパタータイプのゴルフクラブなどのその他のタイプのゴルフクラブに適用可能であり得る。あるいは、本明細書に説明される装置、方法、および製品は、ホッケー用スティック、テニスラケット、釣竿、スキーのストックなどのその他のタイプのスポーツ用品に適用可能であり得る。
【００８０】
さらに、本明細書に開示した実施形態および限定は、実施形態および／または限定が、（１）特許請求の範囲で明示的に特許請求されておらず、かつ（２）均等論の下で、特許請求の範囲内の明示的要素および／または限定の均等物であるか、または潜在的な均等物である場合、公有の原則（ｄｏｃｔｒｉｎｅ  ｏｆ  ｄｅｄｉｃａｔｉｏｎ）の下で公共用として提供されることはない。
【図１】
2020062412.tif 000002
【図２】
2020062412.tif 000003
【図３】
2020062412.tif 000004
【図４】
2020062412.tif 000005
【図５】
2020062412.tif 000006
【図６】
2020062412.tif 000007
【図７】
2020062412.tif 000008
【図８】
2020062412.tif 000009
【図９】
2020062412.tif 000010
【図１０】
2020062412.tif 000011
【図１１】
2020062412.tif 000012
【図１２】
2020062412.tif 000013
【図１３】
2020062412.tif 000014
【図１４】
2020062412.tif 000015
【図１５】
2020062412.tif 000016
【図１６】
2020062412.tif 000017
【図１７】
2020062412.tif 000018
【図１８】
2020062412.tif 000019
【図１９】
2020062412.tif 000020
【図２０】
2020062412.tif 000021
【図２１】
2020062412.tif 000022
【図２２】
2020062412.tif 000023
【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
クラブヘッドであって、
上端と、前記上端の反対側にある下端と、
ヒール端と、前記ヒール端の反対側にあるトウ端と、
フェース面およびロフト面と関連している前面を備える前部部分であって、前記前面は上部周縁部分を含む前記前部部分と、
前方周縁部分を含むクラウン面とソール面とを備える本体部分であって、前記前部部分と一体に形成されている前記本体部分と、
前記前部部分と前記本体部分との境界部分であって、前記前面が前記クラブヘッドの前記上端において、前記クラブヘッドの前記下端を中心にして、前記本体部分に向けてたわむことができるように構成されるたわみ機構を構成する前記境界部分と、
を備え、
前記たわみ機構が、前記前面と前記クラウン面との間に位置する溝を備え、
前記たわみ機構が、前記溝に位置する少なくとも１つのたわみ機能部を備え、前記少なくとも１つのたわみ機能部が、ステップ部分と立ち上がり部分とを備え、
前記ステップ部分は、ステップ部分第１側面と前記ステップ部分第１側面と反対側のステップ部分第２側面とを備え、
前記ステップ部分第１側面は、前記上部周縁部分に隣接しており、
前記立ち上がり部分は、立ち上がり部分第１側面と前記立ち上がり部分第１側面と反対側の立ち上がり部分第２側面とを備え、
前記立ち上がり部分第２側面は、前記前方周縁部分に隣接しており、
前記ステップ部分第２側面は、前記立ち上がり部分第１側面に隣接しており、
前記フェース面が前記ロフト面と同一平面上にある場合、前記たわみ機能部の前記ステップ部分と前記立ち上がり部分は、９０度のたわみ機能角度を形成し、
前記少なくとも１つのたわみ機能部の前記ステップ部分は、前記クラブヘッドの前記ヒール端から前記トウ端に向かう方向で測定されるステップ部分長さを有し、
前記少なくとも１つのたわみ機能部の前記立ち上がり部分は、前記クラブヘッドの前記ヒール端から前記トウ端に向かう方向で測定される立ち上がり部分長さを有し、
前記少なくとも１つのたわみ機能部の前記ステップ部分が、ステップ部分厚さを備え、
前記少なくとも１つのたわみ機能部の前記立ち上がり部分が、立ち上がり部分厚さを備え、
前記ステップ部分長さと前記立ち上がり部分長さとは等しく、
前記ステップ部分厚さと前記立ち上がり部分厚さとは等しい、クラブヘッド。
【請求項２】
前記フェース面が前記ロフト面と同一平面上にある場合、
前記少なくとも１つのたわみ機能部の前記ステップ部分が、前記フェース面に対して垂直、または、
前記少なくとも１つのたわみ機能部の前記立ち上がり部分が、前記フェース面に対して平行
のうちの少なくとも１つである、
請求項１に記載のクラブヘッド。
【請求項３】
前記ステップ部分厚さまた前記は立ち上がり部分厚さのうちの少なくとも１つが、０．０６センチメートル以上、かつ０．１８センチメートル以下であり、
前記ステップ部分長さと前記立ち上がり部分長さの少なくとも一方は、２．５４センチメートル以上であって、１０．１６センチメートル以下である、請求項１又は２に記載のクラブヘッド。
【請求項４】
前記たわみ機構が、前記クラブヘッドの前記上端において、前記クラブヘッドの前記下端を中心にして、前記本体部分に向けてたわむように前記前面がゴルフボールを打撃するとき、（ｉ）前記ゴルフボールのたわんだときの打ち上げ角が、前記ゴルフボールの静的なときの打ち上げ角よりも高い、または（ｉｉ）前記ゴルフボールのたわんだときのバックスピンが、前記ゴルフボールの静的なときのバックスピンより少ない、
のうちの少なくとも１つである、
請求項１から３のいずれか１項に記載のクラブヘッド。
【請求項５】
前記クラブヘッドが、ドライバークラブヘッド、フェアウェーウッドクラブヘッド、またはハイブリッドゴルフクラブヘッドのうちの１つを含む、
請求項１から４のいずれか１項に記載のクラブヘッド。
【請求項６】
前記フェース面が前記ロフト面と同一平面上にある場合、前記少なくとも１つのたわみ機能部の前記各たわみ機能部の前記ステップ部分が、前記フェース面に対して垂直であり、かつ前記少なくとも１つのたわみ機能部の前記立ち上がり部分が、前記フェース面に対して平行である、
請求項１から５のいずれか一項に記載のクラブヘッド。
【請求項７】
方法であって、
クラブヘッドを提供することであって、
上端と、前記上端の反対側にある下端と、
ヒール端と、前記ヒール端の反対側にあるトウ端と、
フェース面およびロフト面と関連している前面を備える前部部分であって、前記前面は上部周縁部分を含む前記前部部分と、
前方周縁部分を含むクラウン面とソール面とを備える本体部分であって、前記前部部分と一体に形成されている前記本体部分と、
を備えるクラブヘッドを提供することと、
前記前部部分と前記本体部分との境界部分を提供することであって、前記前面が前記クラブヘッドの前記上端において、前記クラブヘッドの前記下端周辺を中心にして、前記本体部分に向けてたわむことができるように構成されるたわみ機構を構成する前記境界部分を提供することと
を備え、
前記たわみ機構を提供することが、少なくとも１つのたわみ機能部を提供することを含み、前記少なくとも１つのたわみ機能部が、ステップ部分と立ち上がり部分とを備え、
前記ステップ部分は、前記上部周縁部分に隣接するステップ部分第１側面を備え、
前記立ち上がり部分は、立ち上がり部分第１側面と、前記立ち上がり部分第１側面と反対側の立ち上がり部分第２側面とを備え、
前記立ち上がり部分第２側面は、前記前方周縁部分及び前記ステップ部分第１側面の反対側のステップ部分第２側面に隣接しており、
前記ステップ部分第２側面は、前記立ち上がり部分第１側面に隣接し、
前記たわみ機構を提供することが、前記前面と前記クラウン面との間に位置するように、前記少なくとも１つのたわみ機能部を備える１個以上の溝を形成することを含み、
前記フェース面が前記ロフト面と同一平面上にある場合、前記たわみ機能部の前記ステップ部分と前記立ち上がり部分は、９０度のたわみ機能角度を形成し、
前記たわみ機構を提供することが、前記クラブヘッドの前記ヒール端から前記トウ端に向かう方向で測定されるステップ部分長さを有する前記ステップ部分と、前記クラブヘッドの前記ヒール端から前記トウ端に向かう方向で測定される立ち上がり部分長さを有する前記立ち上がり部分と、を提供し、
前記少なくとも１つのたわみ機能部の前記ステップ部分は、ステップ部分厚さを備え、前記少なくとも１つのたわみ機能部の前記立ち上がり部分が、立ち上がり部分厚さを備え、前記ステップ部分長さと前記立ち上がり部分長さとは等しく、前記ステップ部分厚さと前記立ち上がり部分厚さとは等しい、方法。
【請求項８】
前記ステップ部分厚さまた前記は立ち上がり部分厚さのうちの少なくとも１つが、０．０６センチメートル以上、かつ０．１８センチメートル以下であり、
前記ステップ部分長さと前記立ち上がり部分長さの少なくとも一方は、２．５４センチメートル以上であって、１０．１６センチメートル以下である、請求項７に記載の方法。
【請求項９】
前記クラブヘッドを提供することが、ドライバークラブヘッド、フェアウェーウッドクラブヘッド、またはハイブリッドゴルフクラブヘッドのうちの１つを提供することを含む、
請求項７又は８に記載の方法。
【請求項１０】
ゴルフクラブであって、
クラブヘッドであって、
上端と、および前記上端の反対側にある下端と、
ヒール端と、前記ヒール端の反対側にあるトウ端と、
フェース面およびロフト面と関連している前面を備える前部部分であって、前記前面は上部周縁部分を含む前記前部部分と、
前方周縁部分を含むクラウン面とソール面とを備える本体部分であって、前記前部部分と一体に形成されている前記本体部分と、
前記前部部分と前記本体部分との境界部分であって、たわみ機構を構成する前記境界部分と、
を備える、クラブヘッドと、
前記クラブヘッドに連結されるクラブシャフトと、
を備え、
前記たわみ機構が、ゴルフボールを前記クラブヘッドの前記前面で打撃することが、前記前面を、前記クラブヘッドの前記上端において、前記クラブヘッドの前記下端を中心にして、前記本体部分に向けてたわませるように構成されており、
前記たわみ機構が、前記前面と前記クラウン面との間に位置する溝を備え、
前記たわみ機構が、前記溝に位置する少なくとも１つのたわみ機能部を備え、前記少なくとも１つのたわみ機能部が、ステップ部分と立ち上がり部分とを備え、
前記ステップ部分は、ステップ部分第１側面と前記ステップ部分第１側面と反対側のステップ部分第２側面とを備え、
前記ステップ部分第１側面は、前記上部周縁部分に隣接しており、
前記立ち上がり部分は、立ち上がり部分第１側面と前記立ち上がり部分第１側面と反対側の立ち上がり部分第２側面とを備え、
前記立ち上がり部分第２側面は、前記前方周縁部分に隣接しており、
前記ステップ部分第２側面は、前記立ち上がり部分第１側面に隣接しており、
前記フェース面が前記ロフト面と同一平面上にある場合、前記たわみ機能部の前記ステップ部分と前記立ち上がり部分は、９０度のたわみ機能角度を形成し、
前記少なくとも１つのたわみ機能部の前記ステップ部分は、前記クラブヘッドの前記ヒール端から前記トウ端に向かう方向で測定されるステップ部分長さを有し、
前記少なくとも１つのたわみ機能部の前記立ち上がり部分は、前記クラブヘッドの前記ヒール端から前記トウ端に向かう方向で測定される立ち上がり部分長さを有し、
前記少なくとも１つのたわみ機能部の前記ステップ部分が、ステップ部分厚さを備え、
前記少なくとも１つのたわみ機能部の前記立ち上がり部分が、立ち上がり部分厚さを備え、
前記ステップ部分長さと前記立ち上がり部分長さとは等しく、
前記ステップ部分厚さと前記立ち上がり部分厚さとは等しい、ゴルフクラブ。
【請求項１１】
前記ゴルフボールが、前記クラブヘッドの前記前面に当たる時またはその後、および、前記前面を、前記クラブヘッドの前記上端において、前記クラブヘッドの前記下端を中心にして、前記本体部分に向けてたわませる時またはその後、前記たわみ機構が、（ｉ）前記前面からの前記ゴルフボールの打ち上げ角を高くする、または（ｉｉ）前記ゴルフボールに加えられるバックスピンを低減する、のうちの少なくとも１つであるように構成される、
請求項１０に記載のゴルフクラブ。
【手続補正２】
【補正対象書類名】明細書
【補正対象項目名】００８０
【補正方法】変更
【補正の内容】
【００８０】
さらに、本明細書に開示した実施形態および限定は、実施形態および／または限定が、（１）特許請求の範囲で明示的に特許請求されておらず、かつ（２）均等論の下で、特許請求の範囲内の明示的要素および／または限定の均等物であるか、または潜在的な均等物である場合、公有の原則（ｄｏｃｔｒｉｎｅ  ｏｆ  ｄｅｄｉｃａｔｉｏｎ）の下で公共用として提供されることはない。
以下に、本明細書に開示した実施形態の特徴を列挙する。
（特徴１）
クラブヘッドであって、
上端と、前記上端の反対側にある下端と、
フェース面およびロフト面と関連している前面を備える前部部分と、
クラウン面とソール面とを備える本体部分と、
前記前部部分と前記本体部分との境界部分に配置されるたわみ機構であって、前記前面が前記クラブヘッドの前記上端または前記下端のうちの一方において、かつ前記クラブヘッドの前記上端または前記下端のうちの他方を中心にして、前記本体部分に向けてたわむことができるように構成されるたわみ機構と
を備える、クラブヘッド。
（特徴２）
前記たわみ機構が、少なくとも１つのたわみ機能部を備え、前記少なくとも１つのたわみ機能部の各たわみ機能部が、ステップ部分と立ち上がり部分とを備える、
特徴１に記載のクラブヘッド。
（特徴３）
前記フェース面が前記ロフト面とほぼ同一平面上にある場合、
前記少なくとも１つのたわみ機能部の各たわみ機能部の前記ステップ部分が、前記フェース面に対して略垂直、または、
前記少なくとも１つのたわみ機能部の各たわみ機能部の前記立ち上がり部分が、前記フェース面に対して略平行
のうちの少なくとも１つである、
特徴２に記載のクラブヘッド。
（特徴４）
前記フェース面が前記ロフト面とほぼ同一平面上にある場合、
前記少なくとも１つのたわみ機能部の各たわみ機能部の前記ステップ部分および前記立ち上がり部分が、約０度よりも大きく、かつ約１８０度未満であるたわみ機能部角を形成する、特徴２または３に記載のクラブヘッド。
（特徴５）
前記クラブヘッドが、トウ端と、前記トウ端の反対側にあるヒール端とを備え、
前記少なくとも１つのたわみ機能部の各たわみ機能部の前記ステップ部分が、前記クラブヘッドのほぼヒール−トウ方向の寸法で測定されるステップ部分長さを備え、
前記少なくとも１つのたわみ機能部の各たわみ機能部の前記立ち上がり部分が、前記クラブヘッドのほぼ前記ヒール−トウ方向の寸法で測定される立ち上がり部分長さを備え、
前記ステップ部分長さおよび前記立ち上がり部分長さがほぼ等しい、
特徴２〜４のいずれか１項に記載のクラブヘッド。
（特徴６）
前記クラブヘッドが、前端と、前記前端の反対側にある後端とを備え、
前記少なくとも１つのたわみ機能部の各たわみ機能部の前記ステップ部分が、前記クラブヘッドのほぼ前後方向の寸法で測定されるステップ部分厚さを備え、
前記少なくとも１つのたわみ機能部の各たわみ機能部の前記立ち上がり部分が、前記クラブヘッドのほぼ前記前後方向の寸法で測定される立ち上がり部分厚さを備え、
前記ステップ部分厚さまた前記は立ち上がり部分厚さのうちの少なくとも１つが、約０．０６センチメートル以上、かつ約０．１８センチメートル以下である、
特徴２〜５のいずれか１項に記載のクラブヘッド。
（特徴７）
前記少なくとも１つのたわみ機能部が、第１のステップ部分と第１の立ち上がり部分とを備える第１のたわみ機能部を備え、
前記第１のステップ部分が、ステップ部分の第１の側面と、前記ステップ部分の第１の側面の反対側にあるステップ部分の第２の側面とを備え、
前記第１の立ち上がり部分が、立ち上がり部分の第１の側面と、前記立ち上がり部分の第１の側面の反対側にある立ち上がり部分の第２の側面とを備え、
前記前面が上部周縁部分を備え、かつ前記クラウン面が前方周縁部分を備え、
前記ステップ部分の第１の側面が、前記上部周縁部分に隣接し、
前記ステップ部分の第２の側面が、前記立ち上がり部分の第１の側面に隣接し、
前記立ち上がり部分の第２の側面は、前記前方周縁部分に隣接する、
特徴２〜６のいずれか１項に記載のクラブヘッド。
（特徴８）
前記たわみ機構が、（ｉ）前記前面と前記クラウン面との間、または（ｉｉ）前記前面と前記ソール面との間のうちの一方に配置される溝を備え、
前記少なくとも１つのたわみ機能部が、前記溝内に配置される、
特徴１〜７のいずれか１項に記載のクラブヘッド。
（特徴９）
前記たわみ機構が、前記クラブヘッドの前記上端または前記下端のうちの前記一方において、かつ前記クラブヘッドの前記上端または前記下端のうちの前記他方を中心にして、前記本体部分に向けてたわむように前記前面がゴルフボールを打撃するとき、（ｉ）前記ゴルフボールのたわんだときの打ち上げ角が、前記ゴルフボールの静的なときの打ち上げ角よりも高い、または（ｉｉ）前記ゴルフボールのたわんだときのバックスピンが、前記ゴルフボールの静的なときのバックスピンより少ない、
のうちの少なくとも１つである、
特徴１〜８のいずれか１項に記載のクラブヘッド。
（特徴１０）
前記クラブヘッドが、ドライバークラブヘッド、フェアウェーウッドクラブヘッド、またはハイブリッドゴルフクラブヘッドのうちの１つを含む、
特徴１〜９のいずれか１項に記載のクラブヘッド。
（特徴１１）
前記たわみ機構が、少なくとも１つのたわみ機能部を備え、前記少なくとも１つのたわみ機能部の各たわみ機能部が、ステップ部分と立ち上がり部分とを備え、
前記少なくとも１つのたわみ機能部が、第１のステップ部分と第１の立ち上がり部分とを備える第１のたわみ機能部を備え、
前記第１のステップ部分が、ステップ部分の第１の側面と、前記ステップ部分の第１の側面の反対側にあるステップ部分の第２の側面とを備え、
前記第１の立ち上がり部分が、立ち上がり部分の第１の側面と、前記立ち上がり部分の第１の側面の反対側にある立ち上がり部分の第２の側面とを備え、
前記前面が上部周縁部分を備え、かつ前記クラウン面が前方周縁部分を備え、
前記ステップ部分の第１の側面が、前記上部周縁部分に隣接し、
前記ステップ部分の第２の側面が、前記立ち上がり部分の第１の側面に隣接し、
前記立ち上がり部分の第２の側面が、前記前方周縁部分に隣接し、
前記フェース面が前記ロフト面とほぼ同一平面上にある場合、前記少なくとも１つのたわみ機能部の各たわみ機能部の前記ステップ部分が、前記フェース面に対して略垂直であり、かつ前記少なくとも１つのたわみ機能部の各たわみ機能部の前記立ち上がり部分が、前記フェース面に対して略平行であり、
前記たわみ機構が、前記前面と前記クラウン面との間に配置される溝を備える、
特徴１に記載のクラブヘッド。
（特徴１２）
方法であって、
クラブヘッドを提供することであって、
上端と、前記上端の反対側にある下端と、
フェース面およびロフト面と関連している前面を備える前部部分と、
クラウン面とソール面とを備える本体部分と、
を備えるクラブヘッドを提供することと、
前記前部部分と前記本体部分との境界部分に配置されるたわみ機構を提供することであって、前記前面が前記クラブヘッドの前記上端または前記下端のうちの一方において、かつ前記クラブヘッドの前記上端または前記下端のうちの他方を中心にして、前記本体部分に向けてたわむことができるように構成されるたわみ機構を提供することと
を備える、方法。
（特徴１３）
前記クラブヘッドを提供することが、前記たわみ機構を前記クラブヘッドと一緒に鋳造すること、または前記たわみ機構を前記クラブヘッド内に機械加工することのうちの少なくとも１つを備える、
特徴１２に記載の方法。
（特徴１４）
前記たわみ機構を提供することが、少なくとも１つのたわみ機能部を提供することを含み、前記少なくとも１つのたわみ機能部の各たわみ機能部が、ステップ部分と立ち上がり部分とを備える、
特徴１２または１３に記載の方法。
（特徴１５）
前記たわみ機構を提供することが、たわみ機能部に、前記クラブヘッドのほぼヒール−トウ方向の寸法で測定されるステップ部分長さを有するステップ部分、および前記クラブヘッドのほぼ前記ヒール−トウ方向の寸法で測定される立ち上がり部分長さを有する立ち上がり部分を提供することを含み、前記ステップ部分長さおよび前記立ち上がり部分長さが互いにほぼ等しい、
特徴１２または１３に記載の方法。
（特徴１６）
前記たわみ機構を提供することが、たわみ機能部に、前記クラブヘッドのほぼ前後方向の寸法で測定されるステップ部分厚さを有するステップ部分、および前記クラブヘッドのほぼ前記前後方向の寸法で測定される立ち上がり部分厚さを有する立ち上がり部分を提供することを含み、前記ステップ部分厚さおよび前記立ち上がり部分厚さの少なくとも1つが、約０．０６センチメートル以上で、かつ約０．１８センチメートル以下である、
特徴１２または１３に記載の方法。
（特徴１７）
前記少なくとも１つのたわみ機能部を提供することが、前記フェース面が前記ロフト面とほぼ同一平面上にある場合、たわみ機能部角を形成するように前記ステップ部分および前記立ち上がり部分を提供することを含み、前記たわみ機能部角が、約０度よりも大きく、かつ約１８０度未満である、
特徴１４〜１６のいずれか１項に記載の方法。
（特徴１８）
前記たわみ機構を提供することが、前記少なくとも１つのたわみ機能部または前記たわみ機能部を備える１つ以上の溝を、前記１つ以上の溝が、（ｉ）前記前面と前記クラウン面との間または（ｉｉ）前記前面と前記ソール面との間のうちの一方に配置されるように形成することを含む、
特徴１２〜１７のいずれか１項に記載の方法。
（特徴１９）
前記クラブヘッドを提供することが、ドライバークラブヘッド、フェアウェーウッドクラブヘッド、またはハイブリッドゴルフクラブヘッドのうちの１つを提供することを含む、
特徴１２〜１８のいずれか１項に記載の方法。
（特徴２０）
ゴルフクラブであって、
クラブヘッドであって、
上端と、および前記上端の反対側にある下端と、
前面を備える前部部分と、
本体部分と、
前記前部部分と前記本体部分との境界部分に配置されるたわみ機構と、
を備える、クラブヘッドと、
前記クラブヘッドに連結されるクラブシャフトと、
を備え、
前記たわみ機構が、ゴルフボールを前記クラブヘッドの前記前面で打撃することが、前記前面を、前記クラブヘッドの前記上端または前記下端のうちの一方において、かつ前記クラブヘッドの前記上端または前記下端のうちの他方を中心にして、前記本体部分に向けてたわませるように構成される、
ゴルフクラブ。
（特徴２１）
前記ゴルフボールが、前記クラブヘッドの前記前面に当たる時またはその後、および、前記前面を、前記クラブヘッドの前記上端または前記下端のうちの前記一方において、かつ前記クラブヘッドの前記上端または前記下端の前記他方を中心にして、前記本体部分に向けてたわませる時またはその後、前記たわみ機構が、（ｉ）前記前面からの前記ゴルフボールの打ち上げ角を高くする、または（ｉｉ）前記ゴルフボールに加えられるバックスピンを低減する、のうちの少なくとも１つであるように構成される、
特徴２０に記載のゴルフクラブ。
【外国語明細書】
2020062412000001.pdf
2020062412000002.pdf
2020062412000003.pdf
2020062412000004.pdf